(57)【特許請求の範囲】
【請求項１】
被乾燥物投入部を有する筺体と、
この筺体内に形成した処理室内に横向き状態で回転自在に設けられ、通気性を有し、上記被乾燥物投入部から投入された被乾燥物を収納するドラムと、
このドラムを回転する回転駆動機構と、
ドラム内に熱風を供給する熱風供給機構と、
使用者が操作するスタートスイッチと、
スタートスイッチからのスタート信号を受けることを条件として上記回転駆動機構および熱風供給機構を作動する電気的制御装置と、
を備えた乾燥装置において、
筺体の前面に配設され、駆動源の駆動により筺体前面に沿って上下動し、下降して前記被乾燥物投入部を閉塞可能な第１状態と上昇して被乾燥物投入部を開放する第２状態とに変換可能な扉と、
通貨挿入口を有し、この通貨挿入口から所定金額の通貨が挿入されると支払い信号を電気的制御装置に送出する検銭装置と、
を設け、
電気的制御装置は、検銭装置からの支払い信号を受信して所定金額の支払い終了を判別したことを条件としてスタートスイッチの有効化を図り、スタートスイッチからのスタート信号を受信したことを条件として、駆動源を作動して扉を第２状態から第１状態に変換して被乾燥投入部を閉塞させる扉開閉制御部と、回転駆動機構と熱風供給機構を制御する工程制御部を備えたことを特徴とする乾燥装置。
【請求項２】
被乾燥物投入部を有する筺体と、
この筺体内に形成した処理室内に横向き状態で回転自在に設けられ、通気性を有し、上記被乾燥物投入部から投入された被乾燥物を収納するドラムと、
このドラムを回転する回転駆動機構と、
ドラム内に熱風を供給する熱風供給機構と、
使用者が操作するスタートスイッチと、
スタートスイッチからのスタート信号を受けることを条件として上記回転駆動機構および熱風供給機構を作動する電気的制御装置と、
を備えた乾燥装置において、
筺体の前面に配設され、駆動源の駆動により筺体前面に沿って上下動し、下降して前記被乾燥物投入部を閉塞可能な第１状態と上昇して被乾燥物投入部を開放する第２状態とに変換可能な扉と、
通貨挿入口を有し、この通貨挿入口から所定金額の通貨が挿入されると支払い信号を電気的制御装置に送出する検銭装置と、
を設け、
前記電気的制御装置は、検銭装置からの支払い信号の受信待機状態では、扉を下降した第１状態にしておき、検銭装置からの支払い信号を受信して所定金額の支払い終了を判別したことを条件として駆動源を作動して扉を第２状態に変換して被乾燥物投入部を開放せしめるとともに、スタートスイッチの有効化を図り、スタートスイッチからのスタート信号を受信したことを条件として、駆動源を作動して扉を第１状態に変換して被乾燥物投入部を閉塞させる扉開閉制御部を備えたことを特徴とする乾燥装置。
【請求項３】
筺体の前面にスライドレールを縦方向に設け、該スライドレールに沿って移動するスライダに扉を前後動可能な状態で取り付けるとともに、扉を筺体から離隔する方向に付勢するスプリングを設け、このスプリングの付勢により筺体前面から離隔した状態で扉を上下動する昇降用駆動源を設けるとともに、下降した扉を上記スプリングの付勢に抗して前進させて被乾燥物投入部を閉塞させる閉止用駆動源を設けたことを特徴とする請求項１または２に記載の乾燥装置。
【発明の詳細な説明】
【０００１】
【発明の属する技術分野】
本発明は、コインランドリー等に設置され、所定金額の通貨を投入するとことにより衣類や布団や毛布等の被乾燥物を乾燥することができる乾燥装置に関し、特に布団類等の大きな被乾燥物の乾燥に適する乾燥装置に関するものである。
【０００２】
【従来の技術】
従来の布団類の乾燥装置としては、本願出願人が特開平２−２３９８９４号公報で提案したように、外胴内に横倒し状態でドラムを設け、外胴の前面にヒンジによって開閉するドアを設け、このドアを開いてドラム内に布団類を投入し、遠心力によって布団類がドラム内面に張り付くようにしてドラムを回転し、この状態で外胴内に蒸気を供給して布団類を蒸し、次に、ドラムの回転しながら外胴内に熱風を供給することにより布団類を乾燥する装置がある。
【０００３】
【発明が解決しようとする課題】
しかしながら、従来の乾燥装置は、ヒンジを中心にして横方向に回動することにより開閉するドアであるため、布団等の大きな被乾燥物を出し入れする際にドアが邪魔になったり、開いた扉が他の物に当たるなどの不都合が生じる。
特に、コインランドリーなどは限り有るスペースにできるだけ多くの洗濯装置や乾燥装置を設置してスペース効率を高めようとするので、乾燥装置の前方にスペースの余裕も少ない傾向にあり、このため上記不都合の他に、ドアを手前に引いて開く際に使用者に無理な姿勢を強要することになってしまい、使い勝手が不充分であった。
【０００４】
また、扉を単なるスライド式としても実用に供することができない。即ち、扉をスライド式にするには、スライドレールに沿って扉を上下動させることになるが、下降してきた扉を前進させなければ投入口を密閉できないので、スライドレールの下部を投入口側に彎曲させることが必要である。ところが、下降してきた扉を下降させながら徐々に前進させると、扉が投入口に接する時に扉裏面のパッキング材は装置前面に対して斜め下方に移動することになるので、装置前面に摺動しながら押し潰されることになる。また、扉を開く際にもパッキング材は装置前面に対して摺動しながら徐々に離れて行くことになる。このため、彎曲したスライドレールを単に使用して扉をスライド式としたのでは、扉を繰り返し開閉操作した場合にパッキング材の摩耗が激しく、耐久性に問題が生じる。
【０００５】
さらに、コインランドリーには誰でも自由に出入りできるので、ドアを開いたままにしておくと、子供や不心得者がいたずらでドラム内に異物を入れることも考えられ、管理上好ましくない。
【０００６】
そこで本発明は、被乾燥物の出し入れ操作を行う際にドアが邪魔にならず、また、ドラム内に異物が投入されることを防止し得る乾燥装置を提供しようとするものである。
【０００７】
【課題を解決するための手段】
本発明は上記目的を達成するために提案されたもので、請求項１に記載のものは、被乾燥物投入部を有する筺体と、
この筺体内に形成した処理室内に横向き状態で回転自在に設けられ、通気性を有し、上記被乾燥物投入部から投入された被乾燥物を収納するドラムと、
このドラムを回転する回転駆動機構と、
ドラム内に熱風を供給する熱風供給機構と、
使用者が操作するスタートスイッチと、
スタートスイッチからのスタート信号を受けることを条件として上記回転駆動機構および熱風供給機構を作動する電気的制御装置と、
を備えた乾燥装置において、
筺体の前面に配設され、駆動源の駆動により筺体前面に沿って上下動し、下降して前記被乾燥物投入部を閉塞可能な第１状態と上昇して被乾燥物投入部を開放する第２状態とに変換可能な扉と、
通貨挿入口を有し、この通貨挿入口から所定金額の通貨が挿入されると支払い信号を電気的制御装置に送出する検銭装置と、
を設け、
電気的制御装置は、検銭装置からの支払い信号を受信して所定金額の支払い終了を判別したことを条件としてスタートスイッチの有効化を図り、スタートスイッチからのスタート信号を受信したことを条件として、駆動源を作動して扉を第２状態から第１状態に変換して被乾燥挿入部を閉塞させる扉開閉制御部と、回転駆動機構と熱風供給機構を制御する工程制御部を備えたことを特徴とする乾燥装置である。
【０００８】
請求項２に記載のものは、前記電気的制御装置が、検銭装置からの支払い信号の受信待機状態では、扉を下降した第１状態にしておき、検銭装置からの支払い信号を受信して所定金額の支払い終了を判別したことを条件として駆動源を作動して扉を第２状態に変換して被乾燥物投入部を開放せしめるとともに、スタートスイッチの有効化を図り、スタートスイッチからのスタート信号を受信したことを条件として、駆動源を作動して扉を第１状態に変換して被乾燥物投入部を閉塞させる扉開閉制御部を備えたことを特徴とする乾燥装置である。
【０００９】
請求項３に記載のものは、筺体の前面にスライドレールを縦方向に設け、該スライドレールに沿って移動するスライダに扉を前後動可能な状態で取り付けるとともに、扉を筺体から離隔する方向に付勢するスプリングを設け、このスプリングの付勢により筺体前面から離隔した状態で扉を上下動する昇降用駆動源を設けるとともに、下降した扉を上記スプリングの付勢に抗して前進させて被乾燥物投入部を閉塞させる閉止用駆動源を設けたことを特徴とする請求項１または２に記載の乾燥装置である。
【００１０】
【発明の実施の形態】
以下、本発明の実施の形態を図面に基づいて説明する。
図１は代表的な乾燥装置である布団等の再生装置１の斜視図、図２は扉２を開いた状態の正面図、図３は前後方向に切断した再生装置１の断面図、図４は幅方向に切断した装置の断面図である。
【００１１】
この再生装置１は、密閉可能な略直方体形の筺体３の内部に横向き状態でドラム４を回転自在に設け、ドラム４の外周面に下方から臨ませた状態で蒸気噴出釜５を設けてある。
【００１２】
筺体３は、前面に被乾燥物投入部として、ドラム４の内径よりも僅かに小径の円形の投入口６を開設し、この投入口６を開閉する扉２を設けてある。本実施形態における扉２は、ほぼ正方形であり、中央部分には丸い窓７を設け、左右の支持部材９を介して筺体の前面に沿って上下方向に移動するスライド式ドアである。
このため、図５に示すように、筺体３の正面の左右にスライドレール１０，１０を縦方向に設け、各スライドレール１０に沿って移動するスダイダ１０′にスライドレールブラケット１１を取り付け、このスライドレールブラケット１１に対して補助材１１′を介在して前記支持部材９をボルト１２により前後動可能な状態で取り付けるとともに、該ボルト１２に扉２を手前側（筺体前面から離隔する方向）に付勢するコイルスプリング１３を嵌装し、筺体３側から延設したブラケット１４に扉閉止用エアシリンダ１５を閉止用駆動源として固定する。また、筺体３の左右下部に昇降用駆動源としてのエアシリンダ１６を上向きに設け、各エアシリンダ１６のロッドの先端を前記支持部材９側に固定する。なお、上記エアシリンダ１５，１６やスライドレール１０を覆い隠す縦長なカバー１７を設け、また、扉２の筺体３側には気密性を高めるためのパッキン材１８を設ける。
【００１３】
この様な構成の扉２は、扉閉止用エアシリンダ１５が作動しない常態においては、図５中実線で示すように、扉２はスプリング１３の付勢により筺体３の前面から少し離隔しており、この離隔した状態で昇降用エアシリンダ１６の作動により上下動する。即ち、昇降用エアシリンダ１６を作動すると、ロッドの伸長により支持部材９が上昇し、これに伴って扉２が筺体前面から少し離れた状態で上昇し、これにより筺体３の投入口６を開放する第２状態に変換する（図２）。
【００１４】
また、昇降用エアシリンダ１６を作動してロッドを縮小すると、扉２が投入口６と同様の高さまで下降し、この下降状態（第１状態）で扉閉止用エアシリンダ１５を作動すると、ロッドが伸びて支持部材９のピン状当接部１９を押圧するので、筺体前面から少し離隔していた扉２がスプリング１３の付勢に抗して前進して投入口６を閉じる状態に変換する。この場合、扉２は下降した位置からそのまま前進して閉じるので、扉２と筺体前面とは摺動することはない。したがって、扉２が投入口６を開閉動作しても、パッキン材１８が筺体前面に対して摺動することがなく、扉２を繰り返し開閉動作してもパッキン材１８は摩耗し難い。
【００１５】
そして、扉閉止用エアシリンダ１５の作動を停止すると、スプリング１３の付勢により扉２が後退し、筺体前面から離隔した状態で上昇可能な状態に戻る。
【００１６】
ドラム４は、軸心を横向きにした円筒形で、手前側の円形端板２１ａの中心に開口部２２を有し、奥側の円形端板２１ｂの中心に支軸２３を外方に突出する状態で有し、両端板２１ａ，２１ｂを繋ぐ周面板に無数の通気孔２４…を開設することにより通気性をもたせ、上記開口部２２が筺体３の投入口６に連通するようにしてある。そして、筺体３の背面とその後方のブラケットに設けた両軸受２５により上記支軸２３を支え、支軸２３の先端に設けたプーリー２６とモータ２７の出力軸に設けたプーリー２８との間にベルト２９を掛け、モータ２７の作動によりドラム４を回転する。なお、モータ２７，プーリー２６，２８等の回転駆動機構は、上記したモータやベルト等に限定されるものではなく、ドラム４を回転することができればどのような構成でもよい。また、本実施形態におけるドラム４は、片持ちであるが、ドラム４の前端或は途中を支持してもよい。
【００１７】
次に、蒸気噴出釜５について説明する。
この蒸気噴出釜５は、ドラム４の前後長さとほぼ同様の前後長さとドラム４の円周のほぼ３分の１を覆い得る幅を有し、ドラム４の外周面の曲率に対応した曲率で上部の面を凹曲面とした中空な略四角形の厚板状であり、円弧状上面の最下部分近傍に熱風供給口３０が４箇所開設され、また、熱風供給口３０を除く上面の全域に小さな蒸気噴出口３１…が開設され、上面が開放した箱状の蒸気釜受け部材３２上に取り付けられており、この蒸気釜受け部材３２の側面に駆動源として設けたエアシリンダ３３の駆動により上昇してドラム４の外周面に当接した状態と、下降してドラム４外周面から離隔した状態とに変換可能である。なお、蒸気釜受け部材３２は、内部が中空であり、この中空部が熱風の流路として機能し、筺体３の背面の下部に配設してあるヒーター３４からの熱風を上記中空部内を通して後述する熱風供給口３０から筺体３の内部に供給する。したがって、本実施形態においては、上記したヒーター３４，蒸気釜受け部材３２内の流路，蒸気噴出釜５の熱風供給口３０などが熱風供給機構を構成している。
【００１８】
熱風供給口３０を開設するには、間隔を空けてほぼ平行に延在する上面板３０ａと下面板３０ｂとに長方形の開口を穿設するとともに、両板３０ａ，３０ｂに開設した開口の開口縁を流路板３０ｃにより接続して上面板３０ａと下面板３０ｂとの間に形成した蒸気室３５と区画する。そして、上記開口の外側の上面板３０ａに小孔を蒸気噴出口３１…として無数に穿設し、上面板３０ａと下面板３０ｂの周囲を端面板３０ｄにより接続して、熱風供給口３０を除いた内部を薄い箱状の蒸気室３５とし、この蒸気室３５を構成する下面板３０ｂには蒸気供給管３６を接続して蒸気室３５と連通させるとともに、この接続口の蒸気室３５側には断面コ字状のバッフル３７を溶接等により固定する。
【００１９】
この様に構成すると、蒸気供給管３６から接続口で供給された蒸気が直接上面板３０ａや蒸気噴出口３１…に当らずにバッフル３７の側方から蒸気室３５内に供給されて、いずれの蒸気噴出口３１…からもほぼ均一に蒸気が噴出する。また、蒸気噴出口３１…から噴出した蒸気が直接ドラム４内に供給されるように、蒸気噴出口３１…群を取り囲む状態で蒸気噴出釜５の上部にパッキン材４０を設ける。本実施例では、蒸気噴出釜５の周囲の全長に亙ってフエルト製のパッキン材４０を蒸気噴出口３１…よりも上方に突出する状態で壁状に取り付けてある。
【００２０】
また、蒸気噴出釜５の凹形下面板３０ｂの最も低い位置にドレン口４１を開口し、このドレン口４１にドレン管４２を接続し、ドラム４から蒸気噴出釜５の上面に垂れ落ちたドレンを蒸気ドレン口４１からドレン管４２を介して排出するように構成する。
【００２１】
上記した蒸気噴出釜５は、蒸気釜受け部材３２よりも左右の幅が遥かに大きいので、この左右部分が蒸気釜受け部材３２から左右に突出している。本実施形態においては、左右に突出した蒸気噴出釜５の下方に仕切り板４３を後方に向けて下り傾斜した状態で設けることにより、ドラム４や蒸気噴出釜５を設けた処理室４４と蒸気釜受け部材３２の基部を収めた空部４５とを区画し、この仕切り板４３の傾斜下端にドレン受部４６を設ける。
【００２２】
したがって、仕切り板４３上に垂れ落ちたドレンは、仕切り板４３上を傾斜にしたがって後方に向けて流れてドレン受部４６に集合する。そして、ドレン受部４６に集合したドレンは、ドレン排出管を介して後端から装置の外部に排出される。
なお、仕切り板４３には、蒸気釜受け部材３２の基部が貫通する開口部を開設してあり、この開口部の開口内縁と蒸気釜受け部材３２の基部表面との間には摺動シール材を設けることが望ましい。
【００２３】
次に、筺体３内に供給された蒸気や熱風の排気系について説明する。
本実施形態においては、筺体３の上部にシロッコファン式の送風機５０を設け、この送風機５０の吸気側通気路５１をリントフィルタ５２を介して筺体３内に連通させ、送風機５０の排気側口５３にダクト（図示せず）を接続して屋外に排気できるように構成してある。即ち、筺体３の内部を前面板、背面板、左右の側板、前記仕切り板４３の他に、ドラム４の上半の一方の片半をドラム４の曲面に沿って覆う曲面天井５４ａ、およびドラム４の上半の他方の片半に上方から臨ませて設けた段差天井５４ｂとにより閉塞乃至密閉可能な処理室４４を形成し、この処理室４４内に前記ドラム４や蒸気噴出釜５を配置し、上記した段差天井５４ｂに開設した排気口５５に連通させて吸気側通気路５１を形成し、この吸気側通気路５１の途中にリントフィルタ５２を設け、リントフィルタ５２の出口側に送風機５０の吸気口を連通させ、送風機５０の上面に開口した排気側口５３にダクトを接続するように構成してある。
【００２４】
したがって、送風機５０を作動させると吸気口側（吸気側通気路５１）に負圧が発生し、これによりドラム４を設けてある処理室４４内の空気は、段差天井の排気口５５から吸い出されて吸気側通気路５１に流入し、途中でリントフィルタ５２によって濾過（糸屑や綿屑の除去）が行なわれ、濾過された空気は送風機５０内を通って排気側口５３からダクトを通って屋外に排気される。また、この様にして処理室４４内の空気が排気されると、ヒーター３４を通過して熱せられた高温（約１４０°Ｃ）の熱風が入口５６から蒸気釜受け部材３２の内部に吸引され、ここから蒸気噴出釜５の熱風供給口３０を通って処理室４４内に吸引され、この経路の途中に設けた弁（図示せず）を閉じれば熱風の処理室４４内への供給が停止される。
【００２５】
本実施形態における布団類再生装置１はコインランドリー等に設置され、使用者がコイン（硬貨や紙幣などの通貨）を投入して使用するコイン投入式乾燥機である。したがって、図２に示すように、筺体３の右側面に設けた制御ボックス６０の前面に通貨挿入口としてコイン投入口６１を設け、このコイン投入口６１の裏側に検銭装置７０をコイン投入口６１と連通させて設けてある。なお、紙幣挿入口を設けて千円札等の紙幣も使用できるようにしてもよい。
【００２６】
上記した検銭装置７０は制御ボックス６０内の電気的制御装置７１と接続され、投入されたコインが適正であって、所定の金額に達するまでは始動しないように構成されている。
【００２７】
この電気的制御装置７１は、図９に示すように、扉開閉制御部７２および工程制御部７３等を備えている。そして、扉開閉制御部７２の入力側には前記検銭装置７０、スタートスイッチ６２Ｒ，６２Ｌが接続され、出力側には扉閉止用エアシリンダ１５への圧縮空気の供給を制御する弁としてのソレノイドバルブ（ＳＯＬ）７４や昇降用エアシリンダ１６への圧縮空気の供給を制御する弁としてのソレノイドバルブ（ＳＯＬ）７５が接続されている。一方、工程制御部７３の入力側には制御ボックス６０の前面に設けてある、モード切換スイッチ６３、非常停止スイッチ６４、タイマ７６が、出力側には筺体３の前面に設けた工程表示器６５、ドラム回転用のモータ２７、送風機５０のモータ５０′、蒸気供給管３６の途中に設けてあるスチーム開閉弁７７、蒸気釜受け部材昇降用エアシリンダ３３の弁としてのソレノイドバルブ７８が接続されている。
【００２８】
扉開閉制御部７２は、検銭装置７０からの支払い終了信号を受信したことを条件としてスタートスイッチ６２の有効化を図り、スタートスイッチ６２からのスタート信号を受信したことを条件として、昇降用エアシリンダのソレノイド（ＳＯＬ）や扉閉止用エアシリンダ１６のソレノイド７５を作動して扉２を第２状態から第１状態に変換する。
【００２９】
また、工程制御部７３は、予め設定されて各工程の手順に基づいて、モード切換スイッチ６３により選択されたモードに合わせて送風機５０のモータ５０′とドラム回転用モータ２７とスチーム開閉弁７７を制御するものであり、各工程を工程表示器６５に表示して使用者に知らせる。
【００３０】
なお、この電気的制御装置７１は、論理回路から構成したシーケンサーでもよいし、ＣＰＵ，ＲＯＭ，ＲＡＭ等から構成したマイクロコンピュータでもよい。要するに、予め設定した手順に従って扉２の開閉、ドラム４の回転、熱風の供給、蒸気の供給など本装置の作動を制御することができればよい。
【００３１】
次に、上記した構成からなる電気的制御装置７１を備えた布団類再生装置１の作用について説明する。
まず、再生装置１の電源を投入すると、電気的制御装置７１が昇降用エアシリンダ１６のソレノイドバルブ（開閉弁）７５を作動して扉２を上昇させ、投入口６を開放する。この状態で使用者の操作を待つ。
【００３２】
使用者が開放されている投入口６から布団類Ａをドラム４内に入れ、モード切換スイッチ６３を操作して投入した布団類Ａに応じたモード、即ち材質に合わせたモードを選択する。次に、コイン投入口６１に投入されたコインが所定の金額に達すると、検銭装置７０からの所定金額支払い終了信号を受信した扉開閉制御部７２が所定金額の支払いを確認し、これに基づいてスタートスイッチ６２の有効化を図る。なお、検銭装置７０から支払い信号を受信して制御装置７１内で所定金額に達したこと、即ち支払い終了を判別してもよい。
【００３３】
使用者がこの状態でスタートスイッチ６２をオン操作すると、電気的制御装置７１の扉開閉制御部７２が昇降用エアシリンダ１６の開閉弁（ソレノイドバルブ）７５を作動して扉２を下降させ、所定の位置まで下降すると扉閉止用エアシリンダ１５の開閉弁（ソレノイドバルブ）７４を作動させて扉２を前進させ、これにより投入口６を閉じる。
【００３４】
なお、扉閉止用エアシリンダ１５は、後述する復元工程が終了するまでの間継続して扉２を押圧し続け、投入口６の閉止状態を維持する。
また、スタートスイッチ６２は、制御ボックス６０の前面に１つ設けただけでもよいが、これに代えて、例えば図２に点線で併記したように、片手で操作し得ない間隔だけ離隔した位置に２つ設け、それぞれのスタートスイッチ６２Ｒ，６２Ｌをそれぞれの手で操作した時にスタート信号が送出されるように構成し、一方のスタートスイッチの操作だけではスタートしないようにしてもよい。
【００３５】
この様な準備工程が終了すると、工程制御部７３による制御の下で次のスチーム工程に移行する。即ち、工程制御部７３は、扉開閉制御部７２との信号の授受により各工程を制御している。そして、工程表示器６５には工程制御部７３からの信号に基づいていずれの工程であるかが表示される。
【００３６】
スチーム工程では先ず、電気的制御装置７１の工程制御部７３が蒸気噴出釜用エアシリンダ３３の開閉弁（ＳＯＬ）７８を作動して蒸気噴出釜５を上昇させてドラム４の下面に当接するとともに、送風機５０のモータ５０′をスチーム工程用モードで始動して筺体３内の空気を排出し始める。なお、このスチーム工程ではドラム４は停止したままである。
【００３７】
次に、蒸気供給管３６のスチーム開閉弁７７を開いて蒸気噴出釜５の各蒸気噴出口３１…から高温で高圧の蒸気（約１４０°Ｃ、５kg／cm2〜７kg／cm2）を噴出させる。噴出した蒸気は、蒸気噴出口群の周りがパッキン材４０で封止されているので、他に逃げることなくドラム４の通気孔２４…を通ってドラム４内に供給され、布団類Ａを下側から上側へ通過する。この蒸気が布団類Ａを通過することにより、蒸気が有する高熱により滅菌したりダニを殺すことができ、また、布団類Ａの表面ばかりでなく内部の汚れも噴出蒸気の流れによって分離、除去し、綿等を浄化することができる。
【００３８】
さらに、本実施形態においては、筺体３の天井部分に凹室を設けるとともに、この凹室内に殺菌灯６６を取り付け、凹室の開口部にはガラスを嵌めて密閉し、この殺菌灯６６を運転中は点灯し続けて布団類Ａを紫外線滅菌する。
【００３９】
このスチーム工程中は、送風機５０が作動してドラム４内は勿論のこと筺体３内の排気を行っているので、蒸気噴出口３１…から噴出した蒸気が冷えてドレンになって布団類Ａを濡らすことを防止することができる。そして、スチーム工程中における送風機５０による強制排気量は、後述する乾燥工程や復元工程における強制排気量に比較して少なく設定（送風機５０のファンの回転数を少なくセット）してあるので、ドラム４内には適量の蒸気が充満して、布団類Ａを適度に蒸すことができる。また、排気経路の途中にはフィルタ５２を設けてあるので、布団類Ａから出た汚れや綿屑等は上記フィルタ５２により濾過され、排気口５５から屋外に排出される排気中に残らない。
【００４０】
この様なスチーム工程は、工程制御部７３に接続して設けたタイマ７６が予め設定してある所定時間が経過した時点で終了する。即ち、所定時間が経過したならば蒸気供給管３６のスチーム開閉弁７７を閉じて、蒸気の噴出を停止するとともに、蒸気釜受け部材用エアシリンダ３３のＳＯＬ７８を作動して蒸気噴出釜５を下降し、その上面をドラム４の外周面から離隔した状態に復帰させる。上記した所定時間は、一般的な布団であれば約１分間である。
【００４１】
スチーム工程が終了したならば、工程制御部７３の制御の下で次の乾燥工程に移行する。
乾燥工程ではヒーター３４を作動するとともに送風機５０の強制排気量をスチーム工程の場合よりも高めて作動する。また、ドラム回転用モータ２７を始動してドラム４を回転する。ドラム４の回転数は、遠心力（１．５〜２．２Ｇ）により布団類Ａがドラム４の内面に張りついてドラム４と共に回転する値に設定してあり、本実施形態では毎分５２．５回転（１．６８Ｇ）に設定してある。
【００４２】
ドラム４を上記した回転速度で回転しながら送風機５０を作動すると、ヒーター３４で発生した熱風が蒸気釜受け部材３２内の流路を通って蒸気噴出釜５の熱風供給口３０から筺体３内に供給される。なお、この乾燥工程では、蒸気噴出釜５が下降した状態を維持しているので、蒸気噴出釜５の上面とドラム４の外周面との間には十分な隙間があり、したがって、熱風供給口３０からは支障なく熱風が筺体３内に導入されて通気孔２４…からドラム４内に入り込み、この熱風により布団類Ａの水分が蒸発して布団類Ａが乾燥する。なお、蒸発した水分は送風機５０による強制排気により屋外に排出される。
【００４３】
乾燥工程の間はドラム４を連続して回転してもよいが、間欠的に回転することにより布団類Ａのドラム４に対する位置を変えることが望ましい。即ち、工程制御部７３の制御によりドラム４の回転を瞬時停止すると、上昇していた布団類Ａが自重によって落下し、これによりドラム４に対する布団類Ａの位置が変り、したがって乾燥ムラをなくして均一な乾燥を比較的短時間で効率良く行うことができる。
【００４４】
上記した乾燥工程は、電気的制御装置７１のタイマ７６に設定した所定時間（本実施形態では７分間）継続され、この所定時間が経過すると終了し、工程制御部７３の制御の下で次の復元工程に移行する。
【００４５】
復元工程では、送風機５０の作動は乾燥工程と同様であり、スチーム工程における強制排気量よりも多い排気量に設定してある。また、この復元工程ではドラム４の回転を乾燥工程における回転数よりも低く設定して、布団類Ａに働く遠心力が布団類Ａの自重よりも小となる速度でドラムが回転する。したがって、ドラム４の回転に伴って上昇した布団類Ａが自重によって途中から落下し、この落下による衝撃力で布団類Ａを叩き、この叩き動作により綿等が押し潰れた状態からフカフカした嵩高状態に復元することができる。
【００４６】
また、この復元工程におけるドラム４の回転は正回転を継続してもよいが、工程制御部７３の制御により所定時間間隔で正回転と逆回転を交互に繰り返し行ってもよい。この様な正逆回転を繰り返し行うと、叩き動作を満遍なく行うことができるので、嵩高状態に回復する部分の均一化を図ることができる。
【００４７】
この復元工程を行っている間、送風機５０は継続して作動するので、ヒーター３４からの熱風が筺体３内に導入され、これにより布団類Ａの加熱乾燥が継続して行われることになる。そして、布団類Ａから出た汚れや塵埃は、送風機５０による強制排気により排除され、フィルタ５２に回収される。
【００４８】
上記した復元工程は、電気的制御装置７１のタイマ７６に設定した所定時間（本実施形態では１０分間）継続され、この所定時間が経過すると終了し、初期状態に戻る。即ち、工程制御部７３がドラム４と送風機５０のモータ５０′をそれぞれ停止する。そして、ドラム４の回転が停止すると、電気的制御装置７１の扉開閉制御部７２の制御により扉閉止用エアシリンダ１５への圧縮空気の供給が停止されて押圧動作が停止し、これにより扉２がコイルスプリング１３の付勢により後退し、引き続きソレノイドバルブ７５が開かれて昇降用エアシリンダ１６が作動して扉２を上昇させる。したがって、筺体３の投入口６が開放され、使用者は、再生された布団類Ａをドラム４内から取り出すことができる。
【００４９】
以上説明した実施形態では扉２を上昇させて投入口６を開いた状態で待機し、所定金額のコインが投入されるとスタートスイッチ６２の有効化を図ったが、本発明における電気的制御装置７１は、検銭装置７０からの支払い信号を受信して所定金額の支払い終了を判別したことを条件としてスタートスイッチ６２の有効化を図り、スタートスイッチ６２からのスタート信号を受信したことを条件として、駆動源を作動して扉を第２状態から第１状態に変換して被乾燥挿入部を閉塞させる扉開閉制御部７２と、回転駆動機構と熱風供給機構を制御する工程制御部７３を備えたものであればよい。
したがって、次の様な手順を設定してもよい。
【００５０】
再生装置１の電源を投入した初期状態で、扉２を下降した第１状態にしておいてもよい。この場合、投入口６からドラム４内に異物が入れられない状態であればよいので、扉閉止用エアシリンダ１５を作動させて扉２を筺体前面に押圧する必要はないが、作動させて扉２を押圧してもよい。
【００５１】
この状態で使用者がコイン等を投入すると、検銭装置７０からの支払い信号を制御装置７１の扉開閉制御部７２が受信して所定金額の支払い終了を判別し、これを条件として扉開閉制御部７２が昇降用エアシリンダ１６のソレノイドバルブ７５を作動して扉２を第２状態に変換して投入口６を開放せしめるとともに、スタートスイッチ６２の有効化を図る。
【００５２】
そして、使用者が開放された投入口６から被乾燥物Ａをドラム４内に入れ、この状態でスタートスイッチ６２を操作する。スタートスイッチ６２からのスタート信号を受信したことを条件として、扉開閉制御部７２が昇降用エアシリンダ１６のソレノイドバルブ７５を作動して扉２を下降し、所定位置まで下降したならば、引き続き扉開閉制御装置７１が閉止用エアシリンダ１５のソレノイドバルブ７４を作動して扉２を前進させて投入口６を閉塞させる。
【００５３】
投入口６が閉じられたならば、工程制御部７３の制御の下で、前記した実施形態と同様に、スチーム噴出工程、乾燥工程、再生工程を順次行ない、再生工程が終了したならば扉開閉制御部７２の制御により扉閉止用エアシリンダ１５の作動を停止して扉２を後退させる。
【００５４】
次に、扉開閉制御部７２の制御により昇降用エアシリンダ１６のソレノイドバルブ７５を作動して扉２を上昇させて投入口６を開放する。使用者はこれにより乾燥した被乾燥物Ａをドラム４から取り出すことができる。そして、所定時間が経過したならば、扉開閉制御部７２の制御により扉２を下降して第１状態に戻して次回の使用を待つ。
なお、この状態では扉閉止用エアシリンダ１５を作動させて投入口６を閉止しても、或は作動させないで扉２と筺体前面との間に僅かな隙間がある状態で待機させてもよい。いずれの待機状態においても、投入口６の前方に扉２が在ってドラム４内に異物を入れられることを防止することができるからである。
【００５５】
なお、これまで説明した実施形態は布団類の再生装置１であるが、本発明はこれに限定されるものではなく、他の物を乾燥する乾燥機でもよい。例えば、コインランドリーに設置されている衣類等の乾燥機でもよい。
【００５６】
【発明の効果】
以上説明したように本発明によれば、以下の効果を奏する。
請求項１に記載のものは、扉が、筺体の前面に配設され、駆動源の駆動により筺体前面に沿って上下動し、下降して前記被乾燥物投入部を閉塞可能な第１状態と上昇して被乾燥物投入部を開放する第２状態とに変換可能であるスライド式ドアなので、コインランドリー等の限られたスペースに設置して使用する場合に、扉を開閉する際や大きな被乾燥物を出し入れする際に、扉が邪魔にならないし、開いた扉が他のものに当るなどの不都合を解消することができる。
したがって、限られたスペースに設置されたとしても使い勝ってに優れた乾燥装置を提供することができる。
【００５７】
また、本発明に係る乾燥装置の電気的制御装置が、検銭装置からの支払い信号を受信して所定金額の支払い終了を判別したことを条件としてスタートスイッチの有効化を図り、スタートスイッチからのスタート信号を受信したことを条件として、駆動源を作動して扉を第２状態から第１状態に変換して被乾燥挿入部を閉塞させる扉開閉制御部と、回転駆動機構と熱風供給機構を制御する工程制御部を備えているので、使用者の支払いと扉の開閉や乾燥動作を合理的に連動することができる。したがって、一層使い勝手を向上させることができる。
【００５８】
請求項２に記載のものは、電気的制御装置が、検銭装置からの支払い信号の受信待機状態では、扉を下降した第１状態にしておき、検銭装置からの支払い信号を受信して所定金額の支払い終了を判別したことを条件として駆動源を作動して扉を第２状態に変換して被乾燥物投入部を開放せしめるとともに、スタートスイッチの有効化を図り、スタートスイッチからのスタート信号を受信したことを条件として、駆動源を作動して扉を第１状態に変換して被乾燥物投入部を閉塞させる扉開閉制御部を備えるので、次の使用を待機している非使用時には、被乾燥物投入部からドラム内に異物が入れられることを、下降している扉により有効に防止することができる。
したがって、無人のコインランドリー等に設置した場合における管理を容易ならしめることができる。
【００５９】
請求項３に記載のものは、筺体の前面にスライドレールを縦方向に設け、該スライドレールに沿って移動するスライダに扉を前後動可能な状態で取り付けるとともに、扉を筺体から離隔する方向に付勢するスプリングを設け、このスプリングの付勢により筺体前面から離隔した状態で扉を上下動する昇降用駆動源を設けるとともに、下降した扉を上記スプリングの付勢に抗して前進させて被乾燥物投入部を閉塞させる閉止用駆動源を設けたので、扉が開閉動作する際に筺体前面と摺動することがない。したがって、扉と筺体前面との間をシールするパッキン材の摺動による摩耗を防止することができる。
【図面の簡単な説明】
【図１】布団類の再生装置の斜視図である。
【図２】扉を上昇させた状態における再生装置の正面図である。
【図３】再生装置の前後方向の断面図である。
【図４】再生装置の幅方向の断面図である。
【図５】扉の前後移動機構部分の断面図である。
【図６】一部を別途拡大して示した蒸気噴出釜の断面図である。
【図７】蒸気噴出釜の平面図である。
【図８】蒸気噴出釜内に蒸気を供給する部分の拡大断面図である。
【図９】電気的制御装置と他の機器との接続を示す概略ブロック図である。
【符号の説明】
１  布団類の再生装置
２  扉
３  筺体
４  ドラム
５  蒸気噴出釜
６  投入口
７  窓
９  支持部材
１０  スライドレール
１０′スライダ
１１  スライドレールブラケット
１１′補助材
１２  ボルト
１３  コイルスプリング
１４  ブラケット
１５  扉閉止用エアシリンダ
１６  昇降用エアシリンダ
１７  カバー
１８  パッキン材
１９  当接部
２１  端板
２２  開口部
２３  支軸
２４  通気孔
２５  軸受
２６，２８  プーリー
２７  モータ
３０  熱風供給口
３１  蒸気噴出口
３２  蒸気釜受け部材
３３  エアシリンダ
３４  ヒーター
３５  蒸気室
３６  蒸気用配管
４０  バッフル
４１  ドレン口
４２  ドレン管
４３  仕切り板
４４  処理室
４５  空部
４６  ドレン受部
５０  送風機
５１  吸引側通気路
５２  リントフィルタ
５３  排気側口
５４  天井
５５  排気口
５６  入口
６０  制御ボックス
６１  コイン投入口
６２  スタートスイッチ
６３  モード切換スイッチ
６４  非常停止スイッチ
６５  工程表示器
６６  殺菌灯
７０  検銭装置
７１  電気的制御装置
７２  扉開閉制御部
７３  工程制御部
７４  扉閉止用駆動源用のソレノイドバルブ
７５  昇降用駆動源のソレノイドバルブ
７６  タイマ
７７  スチーム開閉弁
７８  蒸気釜受け部材昇降用エアシリンダのソレノイドバルブ
Ａ    布団類
【図１】
0003907771.tif 000002
【図２】
0003907771.tif 000003
【図３】
0003907771.tif 000004
【図４】
0003907771.tif 000005
【図５】
0003907771.tif 000006
【図６】
0003907771.tif 000007
【図７】
0003907771.tif 000008
【図８】
0003907771.tif 000009
【図９】
0003907771.tif 000010